(57)【要約】【課題】帽子やヘルメット等の頭を覆うものを使用後に脱臭乾燥させる用具を提供する。【解決手段】脱臭乾燥用具１は、通気性不織布とプラスチックシートを接合した本体１０を有し、プラスチックシートに乾燥剤を充填したポケット３０，４０と脱臭剤を充填したポケット６０が設けられる。各ポケットには細孔が形成され、必要に応じて湿度センサー５０が取り付けられる。使用後の制帽１００内にこの脱臭乾燥用具１を挿入すると、本体１０の弾性舌片１２が制帽１００内に当接し、保持される。制帽１００は、ハンガー１３０等に吊り下げた状態で内部の脱臭と乾燥が行われる。【選択図】        図２
2004337763.tif 000002
【特許請求の範囲】
【請求項１】
頭を覆うものの内部に挿入されて脱臭乾燥を行う脱臭乾燥用具であって、通気性不織布でつくられるベースとプラスチックシートを接着した本体と、本体のプラスチックシートに形成される複数個のポケットを有し、ポケットは乾燥剤が充填される乾燥剤収納部と脱臭剤が充填される脱臭剤収納部を形成する脱臭乾燥用具。
【請求項２】
プラスチックで形成されるポケットは、表面に多数の細孔を備える請求項１記載の脱臭乾燥用具。
【請求項３】
乾燥剤が充填されるポケットの表面に取り付けられる湿度に応じて変色する湿度センサーを備える請求項１記載の脱臭乾燥用具。
【請求項４】
脱臭乾燥用具の本体は、頭を覆うものの内部に係合する弾性を有する弾性舌片を備える請求項１記載の脱臭乾燥用具。
【請求項５】
頭を覆うものは、制帽、ヘルメット、帽子である請求項１記載の脱臭乾燥用具。
【発明の詳細な説明】
【０００１】
【発明の属する技術分野】
本発明は、帽子やヘルメット等の頭を覆うものの脱臭と乾燥に適した脱臭乾燥用具に関する。
【０００２】
【従来の技術】
帽子やヘルメット等は、使用者の汗等が内部に付着して、悪臭等の原因となることが多い。
下記の特許文献１は、野球用のヘルメットの内部を乾燥させ、快適な使用感を保つ構造を開示している。
【０００３】
【特許文献１】
特開２０００−３７４９５号公報
【０００４】
【発明が解決しようとする課題】
本発明は、使用後の帽子やヘルメット等の内部に挿入して、保管時に防止やヘルメットの内部の脱臭乾燥を図る用具を提供するものである。
【０００５】
【課題を解決するための手段】
本発明の脱臭乾燥用具は、通気性不織布でつくられるベースとプラスチックシートを接着した本体と、本体のプラスチックシートに形成される複数個のポケットを有し、ポケットは乾燥剤が充填される乾燥剤収納部と脱臭剤が充填される脱臭剤収納部を形成するものである。
【０００６】
そして、プラスチックで形成されるポケットは、表面に多数の細孔を備える。
また、乾燥剤が充填されるポケットの表面に取り付けられる湿度に応じて変色する湿度センサーを備え、脱臭乾燥用具の本体は、頭を覆うものの内部に係合する弾性を有する弾性舌片を備えるものである。
【０００７】
【発明の実施の形態】
図１は、本発明の脱臭乾燥用具の全体構成を示す平面図と側面図である。
全体を符号１で示す脱臭乾燥用具の本体１０は、通気性不織布でつくられるベース２０と、ベース２０上に接着されるプラスチック製のシート２２で構成される。
プラスチックシート２２に複数のポケットが予め成型されている。本実施例には、合計７個のポケットが設けられている。
【０００８】
中央部に設けられる円形のポケット３０には、シリカゲル等の乾燥剤が充填されて、乾燥剤収納部を構成する。ポケット３０の表面には、小径の孔３２が設けてある。ベース２０は通気性の不織布でつくられているので、ポケット３０内の乾燥剤は、本体１０のポケット側の面Ｓ１とベース側の面Ｓ２の双方に乾燥作用を及ぼすことができる。
中央の円形のポケット３０の周囲には、複数個のポケットが設けられる。
【０００９】
中央のポケット３０に対向して設けられる２個のポケット４０内には、シリカゲル等の乾燥剤が充填されて、乾燥剤収納部を構成する。このポケット４０にも必要に応じて小径の孔４２が形成される。
【００１０】
乾燥剤が充填されたポケット４０の表面には、湿度センサーが貼着される。この湿度センサー５０は、周囲の湿度により変色する機能を有する。したがって、乾燥剤が吸湿して劣化すると、この湿度センサーが変色して使用者に知らせる。
使用者はこの湿度センサーの変化をみて、脱臭乾燥用具を太陽光等の下に置いて乾燥剤を再生させる。
【００１１】
中央のポケット３０の周囲に設けられる４個のポケット６０内には、脱臭剤が充填されて、脱臭剤収納部を構成する。脱臭剤は、例えば、活性炭のような臭気を吸着する機能を持つ材料が使用される。
【００１２】
本体１０は、長手方向が寸法Ｌ１、短辺が寸法Ｌ２を有し、通気性の不織布とプラスチックシートを接合したものであるので、折り曲げに対して弾性復元力を備える。
そこで、長手方向の側縁部に３個の弾性舌辺１２を設けてあり、帽子やヘルメットの内部に装着したときの脱落を防止することができる。
【００１３】
図２以下は、本発明の脱臭乾燥用具の使用例を示す説明図である。
図２は、本発明の脱臭乾燥用具１を制帽１００に装着する例を示す。
使用後の制帽１００の内部に、脱臭乾燥用具１をベース側が制帽１００の天井部に対向するように装着する。
脱臭乾燥用具の本体１０の弾性舌片１２は、制帽１００の内部に当接し、その弾性により脱臭乾燥用具１を制帽１００内に安定して保持する。
そこで、使用後の制帽１００を壁１２０のハンガー１３０に吊り下げたり、置台１５０上に置いても、脱臭乾燥用具１は、制帽１００内に保持され、脱臭乾燥作用を発揮する。
【００１４】
図３は、本発明の脱臭乾燥用具１をヘルメット２００に装着する例を示す。
使用後のヘルメット２００の内部に、脱臭乾燥用具１をベース側がヘルメット２００の天井部に対向するように装着する。
脱臭乾燥用具の本体１０の弾性舌片１２は、ヘルメット２００の内部に当接し、その弾性により脱臭乾燥用具１をヘルメット２００内に安定して保持する。
そこで、使用後のヘルメット２００を壁１２０のハンガー１３０に吊り下げたり、置台１５０上に置いても、脱臭乾燥用具１は、ヘルメット２００内に保持され、脱臭乾燥作用を発揮する。
【００１５】
図４は、本発明の脱臭乾燥用具１を帽子３００に装着する例を示す。
使用後の帽子３００の内部に、脱臭乾燥用具１をベース側が帽子３００の天井部に対向するように装着する。
脱臭乾燥用具の本体１０の弾性舌片１２は、帽子３００の内部に当接し、その弾性により脱臭乾燥用具１を帽子３００内に安定して保持する。
そこで、使用後の帽子３００を壁１２０のハンガー１３０に吊り下げたり、置台１５０上に置いても、脱臭乾燥用具１は、帽子３００内に保持され、脱臭乾燥作用を発揮する。
【００１６】
上述した説明にあっては、本発明の脱臭乾燥用具を、制帽、ヘルメット、帽子に適用する例を説明したが、頭を覆うものであれば、何れのものにでも適用することができるものである。
【００１７】
【発明の効果】
本発明の脱臭乾燥用具は以上のように、使用した制帽、ヘルメット、帽子のような頭を覆うものの内部に装着されて、保管中に脱臭乾燥を図るものである。
使用者は常に快適な制帽等を使用することができ、公衆衛生上も有益である。
【図面の簡単な説明】
【図１】本発明の脱臭乾燥用具の平面図と側面図。
【図２】本発明の脱臭乾燥用具の使用例を示す説明図。
【図３】本発明の脱臭乾燥用具の使用例を示す説明図。
【図４】本発明の脱臭乾燥用具の使用例を示す説明図。
【符号の説明】
１  脱臭乾燥用具
１０  本体
１２  弾性舌片
２０  ベース
２２  プラスチックシート
３０，４０  乾燥剤収納部
５０  湿度センサー
６０  脱臭剤収納部
【図１】
2004337763.tif 000003
【図２】
2004337763.tif 000004
【図３】
2004337763.tif 000005
【図４】
2004337763.tif 000006